(57)【特許請求の範囲】
【請求項１】
救急移動体で搬送される搬送者に関する搬送者情報を格納される医療機関データベースと、救急隊員に使用される携帯端末と、医療機関に使用される医療機関端末と、前記医療機関端末と通信可能な医療機関サーバと、消防データベースと、消防サーバとを有し、
前記医療機関データベースには、前記携帯端末で入力された、搬送者を識別する搬送者識別情報と、前記搬送者の収容先の医療機関名の情報である収容先医療機関名と、前記搬送者の疾病に関する疾病情報とを少なくとも含む搬送者情報が記憶され、
前記携帯端末は、前記搬送者識別情報、前記収容先医療機関名及び前記疾病情報を、入力する入力手段を有し、
前記医療機関サーバは、前記医療機関端末から収容要請状況の閲覧要求に応答して、前記搬送者情報のうち前記収容先医療機関名が入力されていない搬送者情報を検索し、該当する少なくとも二以上の搬送者情報のうち前記搬送者識別情報及び前記疾病情報を含む収容要請一覧情報を生成する収容要請一覧情報生成手段を有し、
前記医療機関端末は、前記収容要請一覧情報に基づいて、収容先が未定な搬送者の搬送者識別情報及び前記搬送者の疾病情報の一覧を表示する表示手段を有し、
前記消防データベースには、前記携帯端末で入力された、搬送者を収容可能か否かの問合せ時刻に関する時刻情報と、前記問合せ先の問合せ先医療機関名と、前記搬送者の収容を拒否する拒否理由とを少なくとも含む搬送者情報が記憶され、
前記携帯端末の入力手段は、前記時刻情報、前記問合せ先医療機関名及び前記拒否理由をさらに入力し、
前記携帯端末は、前記消防サーバに、搬送者の収容を拒否した医療機関の一覧である収容拒否医療機関一覧を要求する要求手段と、前記消防サーバから送信されてきた収容拒否医療機関一覧情報に基づいて、問合せ時刻、医療機関名及び収容拒否理由を少なくとも含む収容拒否医療機関一覧を表示する表示手段とをさらに有し、
前記消防サーバは、前記収容拒否医療機関一覧の要求に応答して、前記搬送者情報のうち収容拒否理由が入力されている搬送者情報を検索し、該当する搬送者情報のうち前記問合せ時刻、前記問合せ先医療機関名及び収容拒否理由を含む収容拒否医療機関一覧情報を生成する収容拒否医療機関一覧情報手段を有する
救急搬送支援システム。
【請求項２】
前記医療機関データベースの搬送者情報は、前記搬送者の収容日時を含み、
前記携帯端末の入力手段は、前記収容先医療機関名及び前記収容日時を入力し、
前記医療機関サーバは、前記医療機関端末から収容先決定状況の閲覧要求に応答して、前記搬送者情報のうち前記収容先医療機関名が入力されている搬送者情報を検索し、該当する搬送者情報のうち前記搬送者識別情報、前記収容先医療機関名及び前記収容日時を含む収容先決定一覧情報を生成する収容先決定一覧情報生成手段を有し、
前記医療機関端末の表示手段は、前記収容先決定一覧情報に基づいて、収容先が決定した搬送者の搬送者識別情報、収容先医療機関名及び収容日時の一覧を表示する
請求項１に記載の救急搬送支援システム。
【請求項３】
前記医療機関データベースの搬送者情報と、前記消防データベースの搬送者情報とを連携させる手段を有し、
前記医療機関端末は、前記収容拒否医療機関一覧を、前記医療機関サーバに要求する要求手段を有し、
前記医療機関サーバは、前記収容拒否医療機関一覧の要求に応答して、前記搬送者情報のうち収容可否情報が収容否である搬送者情報を検索し、該当する搬送者情報のうち前記問合せ時刻、前記問合せ先医療機関名及び収容拒否理由を含む収容拒否医療機関一覧情報を生成する収容拒否医療機関一覧情報手段を有する
前記医療機関端末の表示手段は、前記収容拒否医療機関一覧情報に基づいて、問合せ時刻、医療機関名及び収容拒否理由を少なくとも含む収容拒否医療機関一覧を表示する
請求項１又は請求項２に記載の救急搬送支援システム。
【請求項４】
救急隊員に使用される携帯端末で入力された、搬送者を識別する搬送者識別情報と、前記搬送者の収容先の医療機関名の情報である収容先医療機関名情報と、前記搬送者の疾病に関する疾病情報とを少なくとも含む搬送者情報が記憶される搬送者情報データベースと接続されるサーバであって、
医療機関に使用される医療機関端末から収容要請状況の閲覧要求に応答して、前記搬送者情報のうち前記収容先医療機関名が入力されていない搬送者情報を検索し、該当する少なくとも二以上の搬送者情報のうち前記搬送者識別情報及び前記疾病情報を含む収容要請一覧情報を生成し、前記医療機関端末に送信する収容要請一覧情報生成手段を有し、
前記搬送者情報データベースの搬送者情報は、前記携帯端末から送信される、搬送者を収容可能か否かの問合せ時刻に関する時刻情報と、前記問合せ先の問合せ先医療機関名と、前記搬送者の収容を拒否する拒否理由とをさらに含み、
前記携帯端末からの収容拒否医療機関一覧の要求に応答して、前記搬送者情報のうち収容拒否理由が入力されている搬送者情報を検索し、該当する搬送者情報のうち前記問合せ時刻、前記問合せ先医療機関名及び収容拒否理由を含む収容拒否医療機関一覧情報を生成し、前記携帯端末に送信する収容拒否医療機関一覧情報手段をさらに有する
サーバ。
【請求項５】
前記搬送者情報データベースの搬送者情報は、前記携帯端末から送信される、前記搬送者の収容日時を含み、
前記サーバは、前記医療機関端末から収容先決定状況の閲覧要求に応答して、前記収容先医療機関名が入力されている搬送者情報を検索し、該当する搬送者情報のうち前記搬送者識別情報、前記収容先医療機関名及び前記収容日時を含む収容先決定一覧情報を生成し、前記医療機関端末に送信する収容先決定一覧情報生成手段を有する
請求項４に記載のサーバ。
【請求項６】
救急移動体で搬送される搬送者に関する搬送者情報を格納される医療機関データベースと、救急隊員に使用される携帯端末と、医療機関に使用される医療機関端末と、前記医療機関端末と通信可能な医療機関サーバと、消防データベースと、消防サーバとを有する救急搬送支援システムの救急搬送支援方法であって、
前記医療機関データベースには、前記携帯端末で入力された、搬送者を識別する搬送者識別情報と、前記搬送者の収容先の医療機関名の情報である収容先医療機関名と、前記搬送者の疾病に関する疾病情報とを少なくとも含む搬送者情報が記憶され、
前記医療機関サーバは、前記医療機関端末から収容要請状況の閲覧要求に応答して、前記搬送者情報のうち前記収容先医療機関名が入力されていない搬送者情報を検索し、該当する少なくとも二以上の搬送者情報のうち前記搬送者識別情報及び前記疾病情報を含む収容要請一覧情報を生成し、
前記医療機関端末は、前記収容要請一覧情報に基づいて、収容先が未定な搬送者の搬送者識別情報及び前記搬送者の疾病情報の一覧を表示し、
前記消防データベースには、前記携帯端末で入力された、搬送者を収容可能か否かの問合せ時刻に関する時刻情報と、前記問合せ先の問合せ先医療機関名と、前記搬送者の収容を拒否する拒否理由とが記憶され、
前記携帯端末は、前記消防サーバに、搬送者の収容を拒否した医療機関の一覧である収容拒否医療機関一覧を要求し、
前記消防サーバは、前記収容拒否医療機関一覧の要求に応答して、前記搬送者情報のうち収容拒否理由が入力されている搬送者情報を検索し、該当する搬送者情報のうち前記問合せ時刻、前記問合せ先医療機関名及び収容拒否理由を含む収容拒否医療機関一覧情報を生成し、
前記携帯端末は、前記消防サーバから送信されてきた収容拒否医療機関一覧情報に基づいて、問合せ時刻、医療機関名及び収容拒否理由を少なくとも含む収容拒否医療機関一覧を表示する
救急搬送支援方法。
【請求項７】
前記医療機関データベースの搬送者情報は、前記携帯端末で入力された、前記搬送者の収容日時を含み、
前記医療機関サーバは、前記医療機関端末から収容先決定状況の閲覧要求に応答して、前記搬送者情報のうち前記収容先医療機関名が入力されている搬送者情報を検索し、該当する搬送者情報のうち前記搬送者識別情報、前記収容先医療機関名及び前記収容日時を含む収容先決定一覧情報を生成し、
前記医療機関端末の表示手段は、前記収容先決定一覧情報に基づいて、収容先が決定した搬送者の搬送者識別情報、収容先医療機関名及び収容日時の一覧を表示する
請求項６に記載の救急搬送支援方法。
【請求項８】
前記医療機関端末は、前記収容拒否医療機関一覧を要求し、
前記医療機関端末は、前記収容拒否医療機関一覧情報に基づいて、問合せ時刻、医療機関名及び収容拒否理由を少なくとも含む収容拒否医療機関一覧を表示する
請求項６又は請求項７に記載の救急搬送支援方法。
【発明の詳細な説明】
【技術分野】
【０００１】
本発明は、救急搬送支援システム、サーバ、方法及びプログラムに関する。
【背景技術】
【０００２】
急病人やケガ人など、救急車で搬送されるべき傷病者が発生した場合、消防指令センターに連絡が入り、消防指令センターは、傷病者のもとへ救急隊員を派遣する。そして、傷病者のもとへ到着した救急隊員は、傷病者に応急処置を施すと共に、医療機関へ搬送者の受け入れについて問い合わせを行い、搬送者の受け入れ先を決定していた。
【０００３】
例えば、特許文献１には、主サーバが、救急隊員により端末コンピュータに入力された患者データと、病院の位置、空きベッド情報、担当医師の手空き状況、専門科目等の各病院の病院情報等を用いて患者の搬送先を決定する救急支援システムが記載されている。
【先行技術文献】
【特許文献】
【０００４】
【特許文献１】国際公開２０１３／０６５１１３号公報
【発明の概要】
【発明が解決しようとする課題】
【０００５】
上記特許文献１の発明は、コンピュータシステムが傷病者の搬送先の医療機関を決定するものである。しかし、実際には搬送者の受け入れ先の判断は複雑であり、コンピュータシステムが搬送先の受け入れ先を一方的に決定して通知するよりも、救急隊と医療機関が連携して傷病者の受け入れ先を判断する方が現実的で安全性も高い。そのため、医療機関と救急隊が連携してより迅速に傷病者の搬送先を決定することができる仕組みの実現が望まれている。
【０００６】
そこで、本発明は、傷病者の搬送先の決定を支援する救急搬送支援システム、サーバ、方法及びプログラムを提供することにある。
【課題を解決するための手段】
【０００７】
本発明の救急搬送支援システムは、救急移動体で搬送される搬送者に関する搬送者情報を格納される医療機関データベースと、救急隊員に使用される携帯端末と、医療機関に使用される医療機関端末と、前記医療機関端末と通信可能な医療機関サーバとを有し、前記医療機関データベースには、前記携帯端末で入力された、搬送者を識別する搬送者識別情報と、前記搬送者の収容先の医療機関名の情報である収容先医療機関名と、前記搬送者の疾病に関する疾病情報とを少なくとも含む搬送者情報が記憶され、前記携帯端末は、前記搬送者識別情報、前記収容先医療機関名及び前記疾病情報を、入力する入力手段を有し、前記医療機関サーバは、前記医療機関端末から収容要請状況の閲覧要求に応答して、前記搬送者情報のうち前記収容先医療機関名が入力されていない搬送者情報を検索し、該当する搬送者情報のうち前記搬送者識別情報及び前記疾病情報を含む収容要請一覧情報を生成する収容要請一覧情報生成手段を有し、前記医療機関端末は、前記収容要請一覧情報に基づいて、収容先が未定な搬送者の搬送者識別情報及び前記搬送者の疾病情報の一覧を表示する表示手段を有する。
【０００８】
本発明のサーバは、救急隊員に使用される携帯端末で入力された、搬送者を識別する搬送者識別情報と、前記搬送者の収容先の医療機関名の情報である収容先医療機関名情報と、前記搬送者の疾病に関する疾病情報とを少なくとも含む搬送者情報が記憶される搬送者情報データベースと接続されるサーバであって、
医療機関に使用される医療機関端末から収容要請状況の閲覧要求に応答して、前記搬送者情報のうち前記収容先医療機関名が入力されていない搬送者情報を検索し、該当する搬送者情報のうち前記搬送者識別情報及び前記疾病情報を含む収容要請一覧情報を生成し、前記医療機関端末に送信する収容要請一覧情報生成手段を有する。
【０００９】
本発明の救急搬送支援方法は、救急移動体で搬送される搬送者に関する搬送者情報を格納される医療機関データベースと、救急隊員に使用される携帯端末と、医療機関に使用される医療機関端末と、前記医療機関端末と通信可能な医療機関サーバとを有する救急搬送支援システムの救急搬送支援方法であって、前記医療機関データベースには、前記携帯端末で入力された、搬送者を識別する搬送者識別情報と、前記搬送者の収容先の医療機関名の情報である収容先医療機関名と、前記搬送者の疾病に関する疾病情報とを少なくとも含む搬送者情報が記憶され、前記医療機関サーバは、前記医療機関端末から収容要請状況の閲覧要求に応答して、前記搬送者情報のうち前記収容先医療機関名が入力されていない搬送者情報を検索し、該当する搬送者情報のうち前記搬送者識別情報及び前記疾病情報を含む収容要請一覧情報を生成し、前記医療機関端末は、前記収容要請一覧情報に基づいて、収容先が未定な搬送者の搬送者識別情報及び前記搬送者の疾病情報の一覧を表示する。
【００１０】
本発明のプログラムは、救急隊員に使用される携帯端末で入力された、搬送者を識別する搬送者識別情報と、前記搬送者の収容先の医療機関名の情報である収容先医療機関名情報と、前記搬送者の疾病に関する疾病情報とを少なくとも含む搬送者情報が記憶される搬送者情報データベースと接続されるコンピュータのプログラムであって、医療機関に使用される医療機関端末から収容要請状況の閲覧要求に応答して、前記搬送者情報のうち前記収容先医療機関名が入力されていないる搬送者情報を検索し、該当する搬送者情報のうち前記搬送者識別情報及び前記疾病情報を含む収容要請一覧情報を生成し、前記医療機関端末に送信する処理をコンピュータに実行させる。
【発明の効果】
【００１１】
本発明によれば、傷病者の搬送先の決定を支援することができる。
【図面の簡単な説明】
【００１２】
【図１】図１は本発明の実施の形態に係る救急搬送支援システムの概要を示すブロック図である。
【図２】図２は本発明の実施の形態に係る救急搬送支援システムの概要を示すブロック図である。
【図３】図３は本発明の実施の形態に係る他の救急搬送支援システムの概要を示すブロック図である。
【図４】図４は本発明の実施の形態に係る救急搬送支援システムの具体的なブロック図である。
【図５】図５は携帯端末に表示される傷病者の搬送者情報の入力画面の一例を示す図である。
【図６】図６は携帯端末に表示される傷病者の搬送者情報の入力画面の一例を示す図である。
【図７】図７は消防ＤＢ１５０の内容の一例を示す図である。
【図８】図８は医療機関端末で表示される、収容先が未定な搬送者の搬送者識別情報及び搬送者の疾病情報の一覧の画面の一例を示す図である。
【図９】図９は医療機関端末で表示される、収容完了した搬送者の搬送者識別情報及び搬送者の疾病情報の一覧の画面の一例を示す図である。
【図１０】図１０は本発明の実施の形態に係る他の救急搬送支援システムの具体的なブロック図である。
【図１１】図１１は携帯端末で表示される収容拒否医療機関一覧の一例を示す図である。
【図１２】図１２は本発明に係る実施の形態に係るプログラムで動作するコンピュータシステムの一例を示す図である。
【発明を実施するための形態】
【００１３】
本発明の概要を説明する。
【００１４】
従来、急病人やケガ人など、救急車で搬送されるべき傷病者が発生した場合、消防指令センターに連絡が入り、消防指令センターは、傷病者のもとへ救急隊員を派遣する。そして、傷病者のもとへ到着した救急隊員は、傷病者に応急処置を施すと共に、医療機関へ搬送者の受け入れについて問い合わせを行い、搬送者の受け入れ先を決定していた。このとき、医療機関側では、救急隊から受入要請があるまでは搬送先が決まっていない搬送者情報を確認することができなかった。また、他の医療機関の受入状況を確認することもできなかった。
【００１５】
そこで、本発明は、搬送先が決まっていない搬送者情報や他の医療機関の受入状況が医療機関の端末に表示することを特徴とする。
【００１６】
図１及び図２は本発明の実施の形態に係る救急搬送支援システムの概要を示すブロック図である。具体的には、本発明は、救急隊員に使用される携帯端末１と、医療機関データベース２と、医療機関サーバ３と、医療機関に使用される医療機関端末４とを有する救急搬送支援システムである。
【００１７】
携帯端末１は、救急移動体（例えば、救急車や救急ヘリコプター）で使用可能な端末であり、例えば、タブレット端末、ノートパソコン等である。携帯端末１は、搬送者識別情報、疾病情報、収容先医療機関名及び収容日時等を入力する入力部１１を有する。
【００１８】
医療機関データベース２は、救急移動体で搬送された搬送者に関する搬送者情報が格納される。搬送者情報は、救急隊員が携帯端末１に入力した情報に基づいて作成され、通信及び他のサーバを介して、医療機関データベース２に格納される。搬送者情報は、搬送者を識別する搬送者識別情報と、搬送者の疾病に関する疾病情報と、搬送者の収容先の収容先医療機関名及び前記搬送者の収容日時を少なくとも含む。
【００１９】
医療機関サーバ３は、医療機関端末４と通信可能なサーバである。医療機関サーバ３は、医療機関端末４から収容要請状況の閲覧要求に応答して、医療機関データベース２に格納される搬送者情報のうち収容先医療機関名が入力されていない（収容先が決定されていない）搬送者情報を検索し、該当する搬送者情報のうち搬送者識別情報及び疾病情報を含む収容要請一覧情報を生成する収容要請一覧生成部３１と、医療機関端末４から収容先決定状況の閲覧要求に応答して、搬送者情報のうち収容先医療機関名が入力されている（収容先が決定されている）搬送者情報を検索し、該当する搬送者情報のうち搬送者識別情報、収容先医療機関名及び収容日時を含む収容先決定一覧情報を生成する収容先決定一覧生成部３２と、を備える。
【００２０】
医療機関端末４は、医療機関サーバ３から受信した収容要請一覧情報に基づいて、収容先が未定な搬送者の搬送者識別情報及び搬送者の疾病情報の一覧を表示する収容要請一覧表示部４１と、医療機関サーバ３から受信した収容先決定一覧情報に基づいて、収容先が決定した搬送者の搬送者識別情報、収容先医療機関名及び収容日時の一覧を表示する収容先決定一覧表示部４２と、を有する。
【００２１】
次に、上記のように構成された救急搬送支援システムの動作を、図１、２を用いて説明する。
【００２２】
消防指令センターより指令を受けて傷病者のもとへ派遣された救急隊員は、傷病者に応急処置を施すと共に、携帯端末１に、搬送者識別情報及び疾病情報等を入力する。そして、医療機関へ搬送者の受け入れについて問い合わせを行い、この問い合わせ結果に基づいて、収容先が決定した場合には、収容先医療機関名を入力する（Ｓｔｅｐ１００）。
【００２３】
携帯端末１に入力された情報は消防機関のサーバ等に送信され、この情報に基づいて搬送者情報が生成される。生成された搬送者情報は、医療機関データベース２に格納される。（Ｓｔｅｐ１０１）。
【００２４】
一方、医療機関では、医師が、医療機関端末４に、搬送先が決まっていない搬送者の情報を閲覧するための入力操作を行う。この入力操作に応じて、医療機関端末４は、収容要請状況の閲覧要求を医療機関サーバ３に送信する（Ｓｔｅｐ１０２）。
【００２５】
医療機関サーバ３の収容要請一覧生成部３１は、医療機関端末４から収容要請状況の閲覧要求に応答して、医療機関データベース２に格納される搬送者情報のうち、収容先医療機関名が入力されていない搬送者情報を検索し、該当する搬送者情報のうち搬送者識別情報及び疾病情報を含む収容要請一覧情報を生成する（Ｓｔｅｐ１０３）。そして、収容要請一覧情報を、医療機関端末４に送信する（Ｓｔｅｐ１０４）。
【００２６】
医療機関端末４の収容要請一覧表示部４１は、受信した収容要請一覧情報に基づいて、収容先医療機関が決定していない搬送者の情報を一覧で表示する（Ｓｔｅｐ１０５）。
【００２７】
このように、構成された救急搬送支援システムによれば、収容先が決まっていない案件を医療機関側で確認することができる。
【００２８】
また、救急隊員が、医療機関へ搬送者の受け入れについて問い合わせを行った結果、受入先が決まった場合には、携帯端末１に、収容先医療機関名、収容日時等を入力する（Ｓｔｅｐ２００）。
【００２９】
携帯端末１に入力された情報は消防機関のサーバに送信され、この情報に基づいて、医療機関データベース２に搬送者情報が生成又は搬送者情報が更新される。（Ｓｔｅｐ２０１）。
【００３０】
一方、医療機関で搬送者の受入状況等を知りたい場合、医療機関端末４に、医療機関が受け入れた搬送者の情報を閲覧するための入力操作を行う。この入力操作に応じて、医療機関端末４は、収容先決定状況の閲覧要求を医療機関サーバ３に送信する（Ｓｔｅｐ２０２）。
【００３１】
医療機関サーバ３の収容先決定一覧生成部３２は、医療機関端末４から収容先決定状況の閲覧要求に応答して、医療機関データベース２に格納される搬送者情報のうち、収容先医療機関名が入力されている搬送者情報を検索し、該当する搬送者情報のうち搬送者識別情報、収容先医療機関名及び収容日時を含む収容先決定一覧情報を生成する（Ｓｔｅｐ２０３）。そして、収容先決定一覧情報を、医療機関端末４に送信する（Ｓｔｅｐ２０４）。
【００３２】
医療機関端末４の収容先決定一覧表示部４２は、受信した収容先決定一覧情報に基づいて、各医療機関が受け入れた搬送者の情報を一覧で表示する（Ｓｔｅｐ２０５）。
【００３３】
このように構成された救急搬送支援システムによれば、各医療機関の受入状況を医療機関側で確認することができる。
【００３４】
本発明の他の実施の形態に係る救急搬送支援システムを説明する。図３は本発明の他の実施の形態に係る救急搬送支援システムの概要を示すブロック図である。
【００３５】
他の実施の形態では、上記の構成に加えて、消防サーバ５と、消防データベース６と、連携サーバ７とを設ける。連携サーバ７は、医療機関サーバ３と消防サーバ５とのゲートウェイの役割を行う。上述の実施の形態では、携帯端末１からの搬送者情報が医療機関データベース２に何らかの方法で既に格納されているような構成としたが、他の実施の形態では、携帯端末１からの搬送者情報は、消防サーバ５に送信されて消防データベース６に格納される。そして、連携サーバ７により、医療機関データベース２と消防データベース６との内容（搬送者情報）の同期が図れる。尚、消防データベース６に格納されている搬送者情報は、医療機関データベース２に格納される搬送者情報と同一ものであるが、一部が異なっていても良い。
【００３６】
携帯端末１では、上述した入力内容に加え、搬送者を収容可能か否かの問合せ時刻に関する時刻情報と、問合せ先の問合せ先医療機関名と、搬送者の収容を拒否する拒否理由とが入力される。更に、携帯端末１は、消防サーバ５に、搬送者の収容を拒否した医療機関の一覧である収容拒否医療機関一覧を要求する要求部１２と、消防サーバ５から送信されてきた収容拒否医療機関一覧情報に基づいて、問合せ時刻、医療機関名及び収容拒否理由を少なくとも含む収容拒否医療機関一覧を表示する表示部１３とを有する。
【００３７】
また、消防サーバ５は、携帯端末１からの収容拒否医療機関一覧の要求に応答して、消防データベース６に格納されている搬送者情報のうち収容可否情報が収容否である搬送者情報を検索し、該当する搬送者情報のうち問合せ時刻、問合せ先医療機関名及び収容拒否理由を含む収容拒否医療機関一覧情報を生成する収容拒否医療機関一覧情報部５１を有する。
【００３８】
次に、上述した構成の救急搬送支援システムの動作を説明する。
【００３９】
まず、消防指令センターより指令を受けて傷病者のもとへ派遣された救急隊員は、傷病者に応急処置を施すと共に、医療機関へ搬送者の受け入れについて問い合わせを行う。そして、この問い合わせ結果に基づいて、携帯端末１に、搬送者識別情報、搬送者を収容可能か否かの問合せ時刻に関する時刻情報と、問合せ先の問合せ先医療機関名と、収容不可の場合には搬送者の収容を拒否する拒否理由、疾病情報等を入力する（Ｓｔｅｐ３００）。
【００４０】
携帯端末１に入力された情報は消防サーバ５に送信され（Ｓｔｅｐ３０１）、この情報に基づいて搬送者情報が消防データベース６に格納される（Ｓｔｅｐ３０２）。
【００４１】
一方、消防指令センターより指令を受けて他の傷病者のもとへ派遣された救急隊員は、傷病者に応急処置を施すと共に、携帯端末１から、搬送者の収容を拒否した医療機関の一覧である収容拒否医療機関一覧の要求を、消防サーバ５に送信する（Ｓｔｅｐ３０３）。
【００４２】
消防サーバ５は、携帯端末１からの収容拒否医療機関一覧の要求に応答して、消防データベース６に格納されている搬送者情報のうち拒否理由が入力されている搬送者情報を検索し、該当する搬送者情報のうち問合せ時刻、問合せ先医療機関名及び収容拒否理由を含む収容拒否医療機関一覧情報を生成する（Ｓｔｅｐ３０４）。そして、この収容拒否医療機関一覧情報を、要求してきた携帯端末１に送信する（Ｓｔｅｐ３０５）。
【００４３】
携帯端末１の表示部１３は、消防サーバ５から送信されてきた収容拒否医療機関一覧情報に基づいて、問合せ時刻、医療機関名及び収容拒否理由を少なくとも含む収容拒否医療機関一覧を表示する（Ｓｔｅｐ３０６）。
【００４４】
このような構成にすることにより、傷病者を搬送する救急隊員は、収容できない理由と共に傷病者を収容できない医療機関名がわかり、傷病者の収容先を適切に選択することができ、いわゆる傷病者のたらい回しを防止することができる。
【００４５】
次に、具体的な実施の形態を説明する。
【００４６】
図４は、本発明の実施の形態に係る救急搬送支援システムの具体的なブロック図である。本実施の形態に係る救急搬送支援システムは、救急隊員が使用する携帯端末６０と、消防機関の消防サーバ１００と、消防機関のデータベース（消防ＤＢ）１５０と、消防機関の消防端末２００と、医療機関サーバ３００と、医療機関のデータベース（医療機関ＤＢ）３５０と、各医療機関の医療機関端末４００と、ゲートウェイサーバ６００とを備える。消防サーバ１００と医療機関サーバ３００とは、ゲートウェイサーバ６００を介して接続されている。医療機関サーバ３００と各医療機関の医療機関端末４００とは、通信網６０１を介して接続されている。消防サーバ１００と携帯端末６０とは通信網６０２を介してゲートウェイサーバ６００と接続されている。
【００４７】
携帯端末６０は、救急移動体内で使用されるタブレット端末、ノートパソコン等である。尚、救急移動体は、代表的なものとして救急車があるが、これに限られず、例えば、救急用ヘリコプター等でも良い。携帯端末６０は、救急隊員による入力操作に応じて、搬送者情報の入力画面を表示し、搬送者識別情報、問合せの結果の収容可否情報、疾病情報、収容先医療機関名及び前記収容日時等の情報を入力する入力部６１を有する。入力部６１は、通信網６０２から、ゲートウェイサーバ６００を介して、入力された搬送者の情報を消防サーバ１００に送信する。
【００４８】
入力部６１による傷病者の搬送者情報の入力画面の一例を、図５、６に示す。まず、搬送者情報の入力する場合、収容する病院の情報を入力するために、医療機関の問合せ画面が表示される。図５では、傷病者を搬送するための病院の問合せ状況の一覧を示し、過去に、「○○○病院」と、「ＭＭＭ病院」と、「ＮＮＮ病院」とに問合せた例であり、「○○○病院」と「ＭＭＭ病院」とは収容を拒否され、「ＮＮＮ病院」が傷病者を受け入れたことを示している。この情報は医療機関に収容を問い合わせる毎に追加され、新たに情報を追加する場合は、追加ボタンを選択することにより、図６の画面に遷移する。図６の画面では、問合せを行った医療機関名、連絡開始時間及び連絡完了時間、収容の可否、収容の拒絶理由等の情報を入力するものである。これらの情報が入力されると、図５の画面の一覧にその問合せの状況が追加されることとなる。
【００４９】
消防サーバ１００は、消防ＤＢ処理部１０１を備え、消防ＤＢ１５０と、消防端末２００とゲートウェイサーバ６００とに接続される。
【００５０】
消防ＤＢ処理部１０１は、ゲートウェイサーバ６００を介して、携帯端末６０から受信した新たな搬送者情報を消防ＤＢ１５０に登録する。尚、消防ＤＢ１５０に登録された搬送者情報は、ゲートウェイサーバ６００により、医療サーバ３００に送信され、医療機関ＤＢ３５０にも登録される。このとき、医療サーバ３００には、搬送者情報の一部のデータ項目（搬送ＩＤを含む）の値（情報）を送信するようにしてもよい。
【００５１】
また、消防ＤＢ処理部１０１は、消防ＤＢ１５０に登録された搬送者情報に関する情報を携帯端末６０から受信すると、受信した情報に基づいて、該当する搬送者情報を更新する。例えば、受け入れが拒否されていた搬送者について受入先の医療機関が決まった場合、携帯端末６０から、搬送ＩＤ、収容可否情報（この場合”収容可”）、収容先医療機関名等の情報が送信される。これを受けて、消防ＤＢ１５０において、該当する搬送者情報を更新する。
【００５２】
消防ＤＢ１５０は、救急移動体により搬送された搬送者に関する搬送者情報を記憶する。搬送者情報は、救急隊員が携帯端末６０に入力した情報に基づいて作成された情報である。搬送者情報は、図７に例示されるように、搬送者識別情報（搬送ＩＤ）、搬送者の年齢と性別、収容医療機関、収容日時、ＣＰＡ（心肺停止）の有無等の搬送時の情報、収容可否情報、疾病情報、収容先医療機関名、収容日時、連絡開始時間及び連絡完了時間、収容の拒絶理由等の情報、予後調査情報、事後検証情報等のデータ項目を含む。
【００５３】
ここで、搬送ＩＤは、搬送者情報を識別するためのＩＤである。また、ＣＰＡ（心肺停止）有無は、搬送時の搬送者の心肺停止状態（CPA: Cardio pulmonary arrest）の有無に関する情報である。
【００５４】
尚、消防ＤＢ１５０に記憶されている搬送者情報は、ゲートウェイサーバ６００を介して、医療機関サーバ３００に送信され、医療機関ＤＢ３５０が更新される。結果として、消防ＤＢ１５０に記憶されている搬送者情報と医療機関ＤＢ３５０に記憶されている搬送者情報とは、基本的には同様な内容となる。
【００５５】
消防端末２００は、消防機関に設置される端末である。
【００５６】
医療機関サーバ３００は、医療機関ＤＢ処理部３０１と、収容要請一覧生成部３０２と、収容先決定一覧生成部３０３とを備える。医療機関サーバ３００は、医療機関ＤＢ３５０と、医療機関端末４００と、ゲートウェイサーバ６００に接続される。
【００５７】
医療機関ＤＢ処理部３０１は、ゲートウェイサーバ６００を介して受信した搬送情報で医療機関ＤＢ３５０を更新する。
【００５８】
収容要請一覧生成部３０２は、医療機関端末４００から収容要請状況の閲覧要求に応答して、医療機関データベース３５０に格納される搬送者情報のうち収容先医療機関名が入力されていない搬送者情報を検索し、該当する搬送者情報のうち搬送者識別情報及び疾病情報を含む収容要請一覧情報を生成し、要求元の医療機関端末４００に送信する。
【００５９】
収容先決定一覧生成部３０３は、医療機関端末４００から収容先決定状況の閲覧要求に応答して、搬送者情報のうち収容先医療機関名が入力されている搬送者情報を検索し、該当する搬送者情報のうち搬送者識別情報、収容先医療機関名及び収容日時を含む収容先決定一覧情報を生成し、要求元の医療機関端末４００に送信する。
【００６０】
医療機関ＤＢ３５０は、搬送者情報を記憶する。医療機関ＤＢ３５０には消防ＤＢ１５０と同じ案件（同じ搬送ＩＤ）の搬送者情報が記憶される。
【００６１】
医療機関端末４００は、各医療機関に設置され、医師により操作される端末であり、収容要請一覧表示部４０１と、収容先決定一覧表示部４０２とを備える。尚、医療機関端末４００は、通信網６０１を介して医療機関サーバ３００と接続されているが、通信網６０１を介さずに、医療機関サーバ３００と直接接続されていても良い。
【００６２】
収容要請一覧表示部４０１は、医療機関サーバ３００から受信した収容要請一覧情報に基づいて、収容先が未定な搬送者の搬送者識別情報及び搬送者の疾病情報の一覧を表示する。この一覧画面を図８に例示する。例えば、一覧から搬送者情報を選択する入力操作に応答して、選択された搬送者情報について、より詳細なデータを表示するようにしてもよい。
【００６３】
収容先決定一覧表示部４０２は、医療機関サーバ３００から受信した収容先決定一覧情報に基づいて、収容先が決定した搬送者の搬送者識別情報、収容先医療機関名及び収容日時の一覧を表示する。この一覧画面を図９に例示する。一覧画面には、収容先が決定した全ての搬送者が表示されるようにしてもよく、また、指定された医療機関に収容された搬送者の一覧が表示されるようにしてもよい。例えば、医師のＩＤと医療機関ＩＤが対応付けられているテーブルを参照して、初めに医師により入力されたログインＩＤに対応する医療機関ＩＤを取得し、収容先が決定した搬送者の搬送者情報うち、収容先医療機関に当該医療機関ＩＤが設定されている搬送者情報の一覧を表示するようにしてもよい。これにより、医師は自分の医療機関に収容された搬送者の情報を閲覧することができる。また、一覧画面で医療機関が指定入力された場合、収容先が決定した搬送者の搬送者情報うち、入力指定された医療機関の医療機関ＩＤに対応する搬送者情報の一覧を表示するようにしてもよい。これにより、他の医療機関に収容された搬送者の情報を閲覧することができる。
【００６４】
次に、上述の構成の救急搬送支援システムにおける処理動作を説明する。
【００６５】
まず、搬送者の受け入れの問い合わせを行った救急隊員により携帯端末６０から搬送者情報が入力される。入力された搬送者情報は消防サーバ１００に送信される。消防サーバ１００の消防ＤＢ処理部１０１は、携帯端末６０からの搬送者情報を、消防ＤＢ１５０に登録する。ゲートウェイサーバ６００は、消防ＤＢ１５０に登録された搬送者情報を、医療機関サーバ３００に送信する。そして、医療機関サーバ３００の医療機関ＤＢ処理部３０１は、ゲートウェイサーバ６００から受信した搬送者情報を医療機関ＤＢ３５０に登録する。これにより、消防ＤＢ１５０及び医療機関ＤＢ３５０に搬送者情報が登録されることになる。なお、受け入れを拒否された場合、救急隊員により搬送先の問い合わせがさらに行われる。そして、その受入可否情報を含む搬送者情報が携帯端末６０から消防サーバ１００に送信され、消防ＤＢ１５０と医療機関ＤＢ３５０のそれぞれ対応する搬送者情報が更新される。
【００６６】
次に、ある医療機関のユーザ（例えば、医師）は、医療機関端末４００を用いて、自己のユーザＩＤにより、医療機関サーバ３００にログインする。認証が完了した後、ユーザは、医療機関端末４００に表示される処理メニューから「収容要請状況の閲覧」を選択する操作を行う。これに応じて、医療機関端末４００から収容要請状況の閲覧要求が医療機関サーバ３００に送信される。医療機関サーバ３００は、医療機関データベース３５０に格納される搬送者情報のうち収容先医療機関名が入力されていない搬送者情報を検索し、該当する搬送者情報のうち搬送者識別情報及び疾病情報を含む収容要請一覧情報を生成し、要求元の医療機関端末４００に送信する。医療機関端末４００は、医療機関サーバ３００から受信した収容要請一覧情報に基づいて、収容先が未定な搬送者の搬送者識別情報及び搬送者の疾病情報の一覧を表示する（図８参照）。
【００６７】
また、ユーザが医療機関端末４００に表示される処理メニューから「収容患者一覧」を選択する操作を行う。これに応じて、医療機関端末４００から収容先決定状況の閲覧要求が医療機関サーバ３００に送信される。医療機関サーバ３００は、医療機関データベース３５０に格納される搬送者情報のうち収容先医療機関名が入力されている搬送者情報を検索し、該当する搬送者情報のうち搬送者識別情報、収容先医療機関名及び収容日時を含む収容先決定一覧情報を生成し、要求元の医療機関端末４００に送信する。医療機関端末４００は、医療機関サーバ３００から受信した収容先決定一覧情報に基づいて、収容先が決定した搬送者の搬送者識別情報、収容先医療機関名及び収容日時の一覧を表示する（図９参照）。
【００６８】
次に、本発明の他の具体的な実施の形態を説明する。図１０は本発明の実施の形態に係る他の救急搬送支援システムの具体的なブロック図である。
【００６９】
他の実施の形態では、携帯端末６０は、消防サーバ１００に、搬送者の収容を拒否した医療機関の一覧である収容拒否医療機関一覧を要求する要求部６２と、消防サーバ１００から送信されてきた収容拒否医療機関一覧情報に基づいて、問合せ時刻、医療機関名及び収容拒否理由を少なくとも含む収容拒否医療機関一覧を表示する表示部６３とを有する。
【００７０】
消防サーバ１００は、携帯端末６０からの収容拒否医療機関一覧の要求に応答して、消防ＤＢ１５０に格納されている搬送者情報のうち収容拒否理由が入力されている搬送者情報を検索し、該当する搬送者情報のうち問合せ時刻、問合せ先医療機関名及び収容拒否理由を含む収容拒否医療機関一覧情報を生成する収容拒否医療機関一覧情報部１０２を有する。
【００７１】
次に、上述の構成の救急搬送支援システムにおける処理動作を説明する。
【００７２】
まず、搬送者の受け入れの問い合わせを行った救急隊員により携帯端末６０から搬送者情報が入力される。入力された搬送者情報は消防サーバ１００に送信される。消防サーバ１００の消防ＤＢ処理部１０１は、携帯端末６０からの搬送者情報を、消防ＤＢ１５０に登録する。ゲートウェイサーバ６００は、消防ＤＢ１５０に登録された搬送者情報を、医療機関サーバ３００に送信する。そして、医療機関サーバ３００の医療機関ＤＢ処理部３０１は、ゲートウェイサーバ６００から受信した搬送者情報を医療機関ＤＢ３５０に登録する。これにより、消防ＤＢ１５０及び医療機関ＤＢ３５０に搬送者情報が登録されることになる。なお、受け入れを拒否された場合、救急隊員により搬送先の問い合わせがさらに行われる。そして、その受入可否情報を含む搬送者情報が携帯端末６０から消防サーバ１００に送信され、消防ＤＢ１５０と医療機関ＤＢ３５０のそれぞれ対応する搬送者情報が更新される。
【００７３】
一方、消防指令センターより指令を受けて他の傷病者のもとへ派遣された救急隊員は、傷病者に応急処置を施すと共に、携帯端末６０の要求部６２からから、搬送者の収容を拒否した医療機関の一覧である収容拒否医療機関一覧の要求を、消防サーバ１００に送信する。
【００７４】
消防サーバ１００は、携帯端末６０からの収容拒否医療機関一覧の要求に応答して、消防ＤＢ１５０に格納されている搬送者情報のうち収容拒否理由が入力されている搬送者情報を検索し、該当する搬送者情報のうち問合せ時刻、問合せ先医療機関名及び収容拒否理由を含む収容拒否医療機関一覧情報を生成する。そして、この収容拒否医療機関一覧情報を、要求してきた携帯端末６０に送信する。
【００７５】
携帯端末６０の表示部６３には、消防サーバ１００から送信されてきた収容拒否医療機関一覧情報に基づいて、問合せ時刻、医療機関名及び収容拒否理由を少なくとも含む収容拒否医療機関一覧を表示される。表示部６３に表示される収容拒否医療機関一覧の一例を、図１１に示す。図１１の例では、収容を拒否した医療機関名、収容拒否理由、連絡開始時刻及び連絡完了時刻の一覧が表示されている。
【００７６】
このような構成にすることにより、救急隊員達が集めた収容情報を救急隊員が共有することができ、傷病者を搬送する救急隊員は、収容できない理由と共に傷病者を収容できない医療機関名がわかり、傷病者の収容先を適切に選択することができ、いわゆる傷病者のたらい回しを防止することができる。
【００７７】
尚、上述した実施の形態では、収容拒否医療機関一覧情報部１０２は、携帯端末６０からの収容拒否医療機関一覧の要求に応答して、消防ＤＢ１５０に格納されている搬送者情報のうち収容拒否理由が入力されている搬送者情報を検索する例を説明した。しかし、収容拒否医療機関一覧情報部１０２は、携帯端末６０からの収容拒否医療機関一覧の要求に応答して、消防ＤＢ１５０に格納されている搬送者情報のうち収容可否情報が収容否である搬送者情報を検索し、該当する搬送者情報のうち問合せ時刻、問合せ先医療機関名及び収容拒否理由を含む収容拒否医療機関一覧情報を生成するように構成しても良い。
【００７８】
また、上述した実施の形態では、各部をハードウェアで構成したが、上述した動作の処理を情報処理装置（ＣＰＵ）に行わせるプログラムによっても構成できる。
【００７９】
例えば、医療機関サーバ３００は、図１２に示す如く、メモリ５００と、ＣＰＵ５０１と、出力部５０２と、入力部５０３と、通信部５０４とから構成されるコンピュータシステムによって実現可能である。この場合、メモリ５００には、上述した医療機関ＤＢ処理部３０１と、収容要請一覧生成部３０２と、収容先決定一覧生成部３０３とに対応する処理を行うプログラムが格納されている。そして、ＣＰＵ５０１がメモリ５００に格納されているプログラムを実行することで、医療機関ＤＢ処理部３０１と、収容要請一覧生成部３０２と、収容先決定一覧生成部３０３との機能が実現される。消防サーバ２００も同様である。
【００８０】
以上好ましい実施の形態をあげて本発明を説明したが、本発明は必ずしも上記実施の形態に限定されるものではなく、その技術的思想の範囲内において様々に変形し実施することが出来る。
【符号の説明】
【００８１】
１      携帯端末
２      医療機関データベース
３      医療機関サーバ
４      医療機関端末
５      消防サーバ
６      消防データベース
７      連携サーバ
１１    入力部
１２    要求部
１３    表示部
３１    収容要請一覧生成部
３２    収容先決定一覧生成部
４１    収容要請一覧表示部
４２    収容先決定一覧表示部
５１    収容拒否医療機関一覧情報部
６０    携帯端末
６１    入力部
６２    要求部
６３    表示部
１００  消防サーバ
１０２  収容拒否医療機関一覧情報部
１５０  消防ＤＢ
２００  消防端末
３００  医療機関サーバ
３５０  医療機関ＤＢ
４００  医療機関端末
４０１  収容要請一覧表示部
４０２  収容先決定一覧表示部
５００  メモリ
５０１  ＣＰＵ
５０２  出力部
５０３  入力部
５０４  通信部
６００  ゲートウェイサーバ
【図１】
0006659992.tif 000002
【図２】
0006659992.tif 000003
【図３】
0006659992.tif 000004
【図４】
0006659992.tif 000005
【図５】
0006659992.tif 000006
【図６】
0006659992.tif 000007
【図７】
0006659992.tif 000008
【図８】
0006659992.tif 000009
【図９】
0006659992.tif 000010
【図１０】
0006659992.tif 000011
【図１１】
0006659992.tif 000012
【図１２】
0006659992.tif 000013